(57)【要約】【課題】リフィルの品質低下を抑制しつつリフィルをリフィル収納容器から簡単に取り出す。【解決手段】リフィル３を収納するためのリフィル収納容器２は、容器本体４と、容器本体４の開口部５を開閉するキャップ６とを具備する。容器本体４の開口部５内に嵌合されて開口部を閉鎖するようにする嵌合部１５をキャップ６に設け、嵌合部１５に受容孔１７を形成する。リフィル３の先端が受容孔１７内に嵌合されることにより、リフィル収納容器２内に収納されているリフィル３がキャップ６に保持される。キャップ６が容器本体４から取り外されるとリフィル３がキャップ６と共に移動してリフィル収納容器２外に取り出される。【選択図】図３
2010120684.tif 000002
【特許請求の範囲】
【請求項１】
筆記具リフィルを収納するためのリフィル収納容器であって、容器本体と、該容器本体の開口部を開閉するキャップとを具備し、リフィル収納容器内に収納されている筆記具リフィルを保持するための保持部をキャップに設け、キャップが容器本体から取り外されると筆記具リフィルがキャップと共に移動してリフィル収納容器外に取り出されるようにしたリフィル収納容器。
【請求項２】
前記容器本体の開口部内に嵌合されて該開口部を閉鎖するようにする嵌合部を前記キャップに設け、前記保持部が嵌合部に形成された受容孔を備え、前記筆記具リフィルの端部が該受容孔内に嵌合されることにより筆記具リフィルがキャップに保持されるようにした請求項１に記載のリフィル収納容器。
【請求項３】
前記筆記具リフィルの端部が前記受容孔内に嵌合されるときに受容孔内の空気を受容孔外に逃がすための逃がし通路を前記受容孔に設けた請求項２に記載のリフィル収納容器。
【請求項４】
前記筆記具リフィルの端部が保持領域において前記受容孔内に保持されるようになっており、前記キャップの嵌合部の外周面又は前記容器本体の開口部の内周面に環状シール突起を形成して嵌合部が開口部内に嵌合されたときにこれら嵌合部と開口部との間に環状シールが形成されるようにし、環状シールの長手方向位置と保持領域の長手方向位置とを互いに異ならせた請求項２又は３に記載のリフィル収納容器。
【請求項５】
前記キャップの嵌合部が前記容器本体の開口部内に嵌合されたときに開口部の端面に当接して嵌合部の開口部内への進入を規制する規制面をキャップに設け、該規制面が開口部の端面に当接したときに前記筆記具リフィルの端部が前記受容孔内に嵌合されるように規制面を位置決めした請求項２から４までのいずれか一項に記載のリフィル収納容器。
【請求項６】
前記筆記具リフィルが水性ボールペンリフィルから構成されている請求項１から５までのいずれか一項に記載のリフィル収納容器。
【請求項７】
請求項１から６までのいずれか一項に記載のリフィル収納容器内に筆記具リフィルが収納されており、該筆記具リフィルの端部が前記保持部に保持されているリフィル収納品。
【発明の詳細な説明】
【技術分野】
【０００１】
本発明はリフィル収納容器及びリフィル収納品に関する。
【背景技術】
【０００２】
従来から、筆記具の軸筒内にリフィルを交換可能に収納する筆記具が知られている。このリフィルは筆記具本体とは別個に展示又は販売され、したがって単独で包装袋内に収納される（特許文献１，２参照）。
【０００３】
この場合、水分揮発や酸化等によるインクの劣化を抑制するために、包装袋内の空気をできるだけ除去するのが好ましいことが知られている。
【０００４】
【特許文献１】特開２００８−２４７４５２号公報
【特許文献２】特開２００７−４５１３９号公報
【発明の開示】
【発明が解決しようとする課題】
【０００５】
ところで、リフィルの展示や輸送のことを考えると、リフィルをフィルムからなる包装袋内に収納するよりも、例えば筒状のリフィル収納容器内に1本ずつ収納するのが好ましい。この場合、インクの劣化を抑制するためには、リフィル収納容器内にリフィルが収納されたときにリフィル周りに形成される環状空間の容積をできるだけ小さくするのが好ましく、したがってリフィル収納容器の内径をリフィルの外径にできるだけ近づけるのが好ましいということになる。
【０００６】
しかしながら、リフィル収納容器の内径をリフィルの外径よりもわずかばかり大きく設定した場合、リフィルをリフィル収納容器内に収納するとき又は収納した後に、リフィルが折れ曲がるなど変形すると、リフィルをリフィル収納容器から取り出すのが困難になってしまう。
【課題を解決するための手段】
【０００７】
本発明によれば、筆記具リフィルを収納するためのリフィル収納容器であって、容器本体と、該容器本体の開口部を開閉するキャップとを具備し、リフィル収納容器内に収納されている筆記具リフィルを保持するための保持部をキャップに設け、キャップが容器本体から取り外されると筆記具リフィルがキャップと共に移動してリフィル収納容器外に取り出されるようにしたリフィル収納容器が提供される。
【０００８】
また、本発明によれば、前記リフィル収納容器内に筆記具リフィルが収納されており、該筆記具リフィルの端部が前記保持部に保持されているリフィル収納品が提供される。
【発明の効果】
【０００９】
リフィルの品質低下を抑制しつつ、リフィルをリフィル収納容器から簡単に取り出すことができる。
【発明を実施するための最良の形態】
【００１０】
以下では、筆記具を水性ボールペンから構成した場合を説明する。この場合、筆記具リフィルは水性ボールペン用のリフィル（以下、単にリフィルと称する。）から構成されることになる。しかしながら、筆記具を油性ボールペン、万年筆、蛍光ペン等から構成することもできる。
【００１１】
図１（Ａ），（Ｂ）を参照すると、リフィル収納品１はリフィル収納容器２と、リフィル収納容器２内に収納された１本のリフィル３とから構成される。なお、リフィル収納容器２内に複数本のリフィル３を収納するようにしてもよい。
【００１２】
リフィル収納容器２は例えば水蒸気バリア性を有するポリプロピレンのような樹脂からなり、筒状の容器本体ないし軸筒４と、容器本体４の頂部側の開口部５を開閉するキャップ６とを具備する。なお、容器本体２の底部側の開口部７内には尾栓８が封密に嵌合されている。
【００１３】
一方、リフィル３はインクタンク９と、インクタンク９の先端に取り付けられたペン先１０とを具備する。本発明による実施例では、ペン先１０が上向きに又はキャップ６に向けて位置するようにリフィル３がリフィル収納容器２内に収納されている。
【００１４】
このリフィル収納品１では、開口部５がキャップ６によって封密に閉鎖されている。その結果、リフィル収納容器２が密閉されるので、リフィル３がリフィル収納容器２内に保存されている間にリフィル３の水性インクが劣化するのを確実に抑制することができ、リフィル３の品質低下を確実に抑制することができる。
【００１５】
また、図１（Ｂ）からわかるように、容器本体４の内径はリフィル３の外径よりもわずかばかり大きく設定されている。このようにすると、リフィル収納容器２内に残存する空気量を低減することができ、したがって水性インクの劣化を確実に抑制することができる。
【００１６】
次に、図２（Ａ），（Ｂ）を参照しながらキャップ６を説明する。
【００１７】
キャップ６は互いに同心状に配置された内筒１１及び外筒１２と、これら内筒１１及び外筒１２を互いに連結するリブ１３とを具備し、内筒１１と外筒１２との間には通気孔１４が形成されている。
【００１８】
図２（Ａ）に示されるように、内筒１１の底端側部分は外筒１２から突出しており、この底端側部分は容器本体４の開口部５内に嵌合される嵌合部１５を構成する。
【００１９】
この嵌合部１５の外周面には例えば２つの環状シール突起１６が形成されている。
【００２０】
また、嵌合部１５には下方に向けて開口する受容孔１７が形成されており、この受容孔１７はリフィル収納容器２内に収納されているリフィル３を保持するための保持部を構成する。そのために、受容孔１７の内径はリフィル３のペン先１０の外径よりもわずかばかり小さく設定されている。
【００２１】
更に、受容孔１７の内周面には切欠きから形成される逃がし通路１８が形成されている。
【００２２】
更に、外筒１２又はリブ１３の平坦な底端面１９は規制面を構成している。すなわち、嵌合部１５が開口部５内に嵌合されたときにこの規制面１９が開口部５の頂端面２０に当接すると嵌合部１５の開口部５内への進入が規制される。
【００２３】
なお、図３において１０ａはシール被覆を示している。このシール被覆１０ａはリフィル３のペン先１０の先端を保護すると共に、ペン先１０を介しリフィル３内に空気等が流入し又は水性インク内の水分等が揮発するのを抑制するためのものである。
【００２４】
図３は図１（Ｂ）のＡ部の拡大図を示している。
【００２５】
図３に示される閉鎖状態では、キャップ６の嵌合部１５が容器本体４の開口部５内に嵌合されており、それにより容器本体４の開口部５が閉鎖される。この場合、嵌合部１５の外周面に環状シール突起１６が形成されているので、嵌合部１５と開口部５との間に環状シール２１が形成され、したがって嵌合部１５が開口部５内に封密に嵌合されることになる。なお、シール突起を容器本体４の内周面に形成してもよい。
【００２６】
また、リフィル３のペン先１０の先端が受容孔１７内に嵌合されており、したがってリフィル３がキャップ６によって保持されている。その結果、リフィル３がリフィル収納容器２内で移動するのが抑制され、例えば振動によりリフィル３が破損するのが抑制される。また、本発明による実施例では、図１に示されるように、リフィル３がリフィル収納容器２内に収納されているときにリフィル３の底端が尾栓８の頂端面に当接している。したがって、リフィル３の移動が更に制限される。
【００２７】
リフィル３をリフィル収納容器２から取り出すべきときには、ユーザはキャップ６の外筒１２を摘んでキャップ６を容器本体４から取り外す。このときリフィル３はキャップ６によって保持されたままであるので、図４に示されるようにキャップ６と共に移動してリフィル収納容器２外に取り出される。その結果、リフィル３を簡単に取り出すことができる。
【００２８】
また、リフィル３がキャップ６に保持されたままであるので、リフィル収納容器２から取り出したリフィル３を落下させることもない。すなわち、リフィル３の取り扱いが容易になる。
【００２９】
リフィル収納品１は例えば次のようにして製造される。すなわち、まずリフィル収納容器２の容器本体４内にインクタンク９側からリフィル３が収納される。次いで、キャップ３の規制面１９が開口部５の頂端面２０に当接するまでキャップ３が容器本体４の開口部５に嵌合される。
【００３０】
本発明による実施例では、規制面１９が開口部５の頂端面２０に当接したときにペン先１０が受容孔１７内に嵌合されて保持されるように規制面１９が位置決めされており、したがってキャップ６を開口部５に嵌合させるだけで、リフィル３をキャップ６に保持させることができる。
【００３１】
また、本発明による実施例では、受容孔１７に逃がし通路１８が形成されているので、リフィル３内に空気が入り込むのを抑制することができる。すなわち、逃がし通路１８が設けられていないと、ペン先１０が受容孔１７内に嵌合されたときに受容孔１７内が密閉空間になってこの密閉空間内の圧力が高くなるので、空気がペン先１０からリフィル３内に入り込むおそれがある。本発明による実施例では、逃がし通路１８が形成されているので、ペン先１０が受容孔１７内に嵌合されるときに受容孔１７内の空気を受容孔１７外に逃がすことができる。その結果、リフィル３の品質低下を抑制することができる。
【００３２】
ところで、図３に示されるように、ペン先１０に当接してリフィル３を保持している受容孔１７の領域を保持領域２２と称すると、環状シール２１の長手方向位置と保持領域２２の長手方向位置とは互いに異なっている。このようにしているのは次の理由による。
【００３３】
すなわち、ペン先１０が受容孔１７内に嵌合されると、保持領域２２では嵌合部１５が変形するおそれがある。特に、本発明による実施例では、受容孔１７に逃がし通路１８が形成されているので、受容孔１７内周面はペン先１０に周方向に一様に当接しておらず、したがって嵌合部１５の変形は周方向に一様になるとは限らない。このため、このような保持領域２２の長手方向位置を環状シールの長手方向位置に一致させると、良好なシール作用を得ることができないおそれがある。そこで、本発明による実施例では、環状シール２１の長手方向位置と保持領域２２の長手方向位置とは互いに異ならせ、それによって良好なシール作用が得られるようにしている。
【００３４】
また、本発明による実施例では、容器本体４の外径と外筒１１の外径とがほぼ等しく設定されており、キャップ６が容器本体４に取り付けられたときに容器本体４の外周面とキャップ６の外周面とが面一になっている。その結果、容器本体４及びキャップ６周りにシールラベルを貼り付ける場合に、シールラベルを貼り付け易くなり、シールラベルによるシール作用を確保することができる。
【００３５】
上述した本発明による実施例では、リフィル３の頂端すなわちペン先１０がキャップ６に保持されるようにしている。しかしながら、リフィル３の底端すなわちインクタンクがキャップ６に保持されるようにしてもよい。
【図面の簡単な説明】
【００３６】
【図１】リフィル収納品の（Ａ）正面図及び（Ｂ）部分断面図である。
【図２】キャップの（Ａ）正面図及び（Ｂ）底面図である。
【図３】図１のＡ部の拡大図である。
【図４】キャップを取り外した状態を示す図である。
【符号の説明】
【００３７】
１    リフィル収納品
２    リフィル収納容器
３    リフィル
４    容器本体
５    頂端側の開口部
６    キャップ
１０    ペン先
１５    嵌合部
１７    受容孔
１８    逃がし通路
１９    規制面
２０    開口部の頂端面
２１    環状シール
２２    保持領域
【図１】
2010120684.tif 000003
【図２】
2010120684.tif 000004
【図３】
2010120684.tif 000005
【図４】
2010120684.tif 000006
【手続補正書】
【提出日】平成21年11月19日(2009.11.19)
【手続補正１】
【補正対象書類名】明細書
【補正対象項目名】００２１
【補正方法】変更
【補正の内容】
【００２１】
更に、受容孔１７の内周面には切欠きから形成される逃がし通路１８が形成されている。したがって、受容孔１７の内周面は、逃がし通路１８と、リフィル３が嵌合される嵌合面１８ａとを有することになる。
【手続補正２】
【補正対象書類名】図面
【補正対象項目名】図２
【補正方法】変更
【補正の内容】
【図２】
2010120684.tif 000007
【手続補正３】
【補正対象書類名】図面
【補正対象項目名】図３
【補正方法】変更
【補正の内容】
【図３】
2010120684.tif 000008